(57)【要約】  吸収性物品は、可視充満度インジケータと、一次視覚的しるし及び二次視覚的しるしとを含む。
2012513842.tif 000002
【特許請求の範囲】
【請求項１】
可視充満度インジケータと、
前記可視充満度インジケータに近接して配置され、かつ使い捨て着用可能吸収性物品における第１の充満度の程度を視覚的に表わすように構成された、一次視覚的しるしの一次グループと、
前記可視充満度インジケータに近接して配置され、かつ前記物品における前記第１の充満度の程度よりも大きな第２の充満度の程度を表すように構成された、前記一次視覚的しるしと視覚的に区別可能な二次視覚的しるしと、
を含むことを特徴とする、使い捨て着用可能吸収性物品。
【請求項２】
前記物品が、外側末端部を有する獲得層を含み、
前記二次視覚的しるしの一部分が、前記獲得層の前記外側末端部に対して内側に配置される、請求項１に記載の使い捨て着用可能吸収性物品。
【請求項３】
前記二次視覚的しるしの実質的に全てが、前記獲得層の前記外側末端部より外側に配置される、請求項２に記載の使い捨て着用可能吸収性物品。
【請求項４】
前記一次グループの実質的に全てが、前記獲得層の前記外側末端部に対して内側に配置される、請求項２に記載の使い捨て着用可能吸収性物品。
【請求項５】
前記物品が、外側末端部を有する分配層を含み、
前記二次視覚的しるしの一部分が、前記獲得層の前記外側末端部に対して内側に配置される、請求項１に記載の使い捨て着用可能吸収性物品。
【請求項６】
前記二次視覚的しるしの実質的に全てが、前記分配層の前記外側末端部より外側に配置される、請求項５に記載の使い捨て着用可能吸収性物品。
【請求項７】
前記一次グループの実質的に全てが、前記分配層の前記外側末端部に対して内側に配置される、請求項５に記載の使い捨て着用可能吸収性物品。
【請求項８】
前記物品が、外側末端部を有する吸収性コアを含み、
前記二次視覚的しるしの一部分が、前記吸収性コアの前記外側末端部に対して内側に配置される、請求項１に記載の使い捨て着用可能吸収性物品。
【請求項９】
前記二次視覚的しるしの実質的に全てが、前記吸収性コアの前記外側末端部より外側に配置される、請求項８に記載の使い捨て着用可能吸収性物品。
【請求項１０】
前記一次グループの実質的に全てが、前記吸収性コアの前記外側末端部に対して内側に配置される、請求項８に記載の使い捨て着用可能吸収性物品。
【発明の詳細な説明】
【技術分野】
【０００１】
概して、本開示の実施形態は、吸収性物品の湿潤度表示に関する。特に、本開示の実施形態は、吸収性物品の可視充満度表示に関する。
【背景技術】
【０００２】
吸収性物品は、汗、血液、尿、経血等の液状排泄物を吸収することができる。吸収性物品は湿潤度インジケータを含むことができる。湿潤度インジケータは、物品中の液状排泄物の存在を示すことができる。
【発明の概要】
【発明が解決しようとする課題】
【０００３】
残念なことに、一部の吸収性物品用湿潤度インジケータはわかりにくい場合がある。湿潤度インジケータからのシグナルが正しく理解されないと、吸収性物品を交換するのが早すぎる場合がある。着用者が物品の収容力を十分に活用しない可能性がある。湿潤度インジケータからのシグナルが正しく理解されない場合には、吸収性物品を交換するのが遅すぎる場合がある。排泄物が物品の収容力を超えて、漏れが生じる可能性がある。
【課題を解決するための手段】
【０００４】
本開示は、わかりやすいインジケータを有する吸収性物品を含む。本開示の吸収性物品は、一次及び二次視覚的しるしを有するので理解しやすい。
【０００５】
一例として、吸収性物品は、一次視覚的しるし及び二次視覚的しるしを伴う可視充満度インジケータを有することができる。インジケータは、物品が液状排泄物で充満されるにつれて、可視状態を漸次変化させることができる。一次及び二次視覚的しるしは、物品内に位置付けられて、様々な程度の充満度と相関させことができる。
【０００６】
最初に、可視充満度インジケータは、インジケータの第１の部分に沿って可視状態を変化させ始めることができる。第１の部分に近接して位置付けられる一次視覚的しるしは、吸収性物品がやや充満されたことを表すことができる。第２に、可視充満度インジケータは、インジケータの第２の部分に沿って可視状態を変化させることができる。第２の部分に近接して位置付けられる二次視覚的しるしは、吸収性物品が充満に近づいていることを表すことができる。可視充満度インジケータと一次視覚的しるし及び二次視覚的しるしとの組み合わせは、充満の程度を示しているものとして容易に理解され得る。両方合わせて、可視充満度インジケータと一次及び二次視覚的しるしとの組み合わせは、可視充満度表示システムと考えることができる。
【０００７】
一次視覚的しるし及び二次視覚的しるしと、可視充満度インジケータとを有する吸収性物品は、吸収性物品の充満度に関する確実性をもたらすのを助けることができる。物品がどれだけ満たされているかを知ることによって、着用者が物品の収容力を適切に利用した後に物品を交換することができる。また、物品がどれだけ満たされているかを知ることによって、漏れそうになる前に物品を交換することができる。
【図面の簡単な説明】
【０００８】
【図１Ａ】本開示の実施形態による、可視充満度インジケータ、並びに一次視覚的しるし、二次視覚的しるし、及び三次視覚的しるしを前側に有するパンツ型使い捨て着用可能吸収性物品。
【図１Ｂ】本開示の実施形態による、可視充満度インジケータ、並びに一次視覚的しるし、二次視覚的しるし、及び三次視覚的しるしを後側に有するパンツ型使い捨て着用可能吸収性物品。
【図１Ｃ】本開示の実施形態による、複数の可視充満度インジケータ、並びに一次視覚的しるし、二次視覚的しるし、及び三次視覚的しるしを有するパンツ型使い捨て着用可能吸収性物品。
【図２Ａ】本開示の実施形態による、可視充満度インジケータ、並びに一次視覚的しるし、二次視覚的しるし、及び三次視覚的しるしを前側に有する前側締結可能な使い捨て着用可能吸収性物品。
【図２Ｂ】本開示の実施形態による、可視充満度インジケータ、並びに一次視覚的しるし、二次視覚的しるし、及び三次視覚的しるしを後側に有する前側締結可能な使い捨て着用可能吸収性物品。
【図２Ｃ】本開示の実施形態による、複数の可視充満度インジケータ、並びに一次視覚的しるし、二次視覚的しるし、及び三次視覚的しるしを有する前側締結可能な使い捨て着用可能吸収性物品。
【図３Ａ】本開示の実施形態による、可視充満度インジケータ、並びに一次視覚的しるし、二次視覚的しるし、及び三次視覚的しるしを有する吸収性物品の一部分。
【図３Ｂ】本開示の実施形態による、図３Ａのインジケータ及び視覚的しるしの表示の後続状態。
【図３Ｃ】本開示の実施形態による、図３Ｂのインジケータ及び視覚的しるしの表示の後続状態。
【図３Ｄ】本開示の実施形態による、図３Ｃのインジケータ及び視覚的しるしの表示の後続状態。
【図３Ｅ】本開示の実施形態による、図３Ｄのインジケータ及び視覚的しるしの表示の後続状態。
【図３Ｆ】本開示の実施形態による、図３Ｅのインジケータ及び視覚的しるしの表示の後続状態。
【図３Ｇ】本開示の実施形態による、図３Ｆのインジケータ及び視覚的しるしの表示の後続状態。
【図４】本開示の実施形態による、可視充満度インジケータ、並びに一次視覚的しるし、二次視覚的しるし、及び三次視覚的しるしを有する吸収性物品の一部分。この視覚的しるしは互いに離間している。
【発明を実施するための形態】
【０００９】
本開示の一次及び二次視覚的しるしは、あらゆる種類の吸収性物品と共に使用され得る。吸収性物品は、汗、血液、尿、経血等の液状排泄物を吸収することができる。吸収性物品は、製品又は材料であり得る。吸収性物品の例には、衛生保護、衛生用途、及び／又は創部のケアのための製品及び／又は材料が挙げられる。
【００１０】
一部の吸収性物品は使い捨てである。使い捨て吸収性物品は、一度使用した後に部分的又は全体的に廃棄されるように構成される。使い捨て吸収性物品は、汚れた物品又は物品の汚れた部分が復元又は再使用されることを意図していない（例えば、洗濯されることを意図していない）ように構成される。使い捨て吸収性物品の例には、包帯及び包帯剤などの創部のケア製品、並びにパッド及びライナーなどの女性用ケア製品が挙げられる。使い捨て吸収性物品は、本開示の実施形態を使用することができる。
【００１１】
一部の吸収性物品は着用可能である。着用可能な吸収性物品は、着用者の身体上に又は身体の周囲に着用されるように構成される。着用可能な吸収性物品は使い捨てであることもできる。使い捨て着用可能吸収性物品の例としては、使い捨ておむつ及び使い捨て失禁用下着が挙げられる。使い捨て着用可能吸収性物品は、着用者により着用されている間、排泄物を受容し収容することができる。一部の実施形態において、使い捨て着用可能吸収性物品は、トップシートと、吸収性コアと、外側カバーと、腰部開口部と、脚部開口部とを含むことができる。使い捨て着用可能吸収性物品は、本開示の実施形態を使用することができる。
【００１２】
吸収性物品の湿潤度インジケータの１つの種類は、可視充満度インジケータである。湿潤度インジケータは、液状排泄物の存在をその可視状態によって示すことができる場合に、可視であるとみなされる。本開示全体を通して、特に指定のない限り、液状排泄物の存在とは、可視湿潤度インジケータが可視状態を変化させるのに十分な液状排泄物濃度が存在することを指す。湿潤度インジケータは、液状排泄物が吸収性物品を満たした程度を示すことができる場合に、充満度インジケータと考えられる。可視充満度インジケータは、インジケータが可視状態を漸次変化させるようにインジケータに沿って移動する濡れ縁部（wet edge）によって、液状排泄物の存在を示すことができる。可視充満度インジケータは、１つ以上の可視表示エリアを含むことができる。可視表示エリアは、画定された連続的な２次元領域であり、その可視状態によって液状排泄物の存在を示すように構成される。例として、様々な実施形態において、インジケータは、一連の表示エリア又は表示エリアのパターンを含むことができる。視覚的しるしは、特定の程度の充満度を視覚的に表わすように構成され得る視覚デバイスである。
【００１３】
本開示の図は、本明細書に記載の要素、それらの部品、及びそれらの関係を例示することを意図しているが、これらの図は、特に指定のない限り、あらゆる特定の相対的又は絶対的サイズ又は寸法を例示することを意図していない。
【００１４】
図１Ａ〜図２Ｃは、それぞれが一次及び二次視覚的しるしと共に１つ以上のインジケータを有する、様々な使い捨て着用可能吸収性物品を示している。明瞭にするために、図１Ａ〜図２Ｃは、インジケータ又は使い捨て着用可能吸収性物品の全詳細を図示していない。図１Ａ〜図２Ｃの各インジケータは、本開示のインジケータの任意の実施形態であり得る。更に、図１Ａ〜図２Ｃの各一次視覚的しるしは、本明細書に記載の本開示の一次視覚的しるしの任意の実施形態であり得、図１Ａ〜図２Ｃの各二次視覚的しるしは、本開示の二次視覚的しるしの任意の実施形態であり得、図１Ａ〜図２Ｃの各三次視覚的しるしは、本開示の三次視覚的しるしの任意の実施形態であり得る。
【００１５】
図１Ａは、着用のために形成されるパンツ型使い捨て着用可能吸収性物品１００Ａの前側１０１及び側部１０３の外側斜視図を示す。吸収性物品１００Ａは、前側腰部縁部１０２と後側腰部縁部１０４とを含む。パンツ型使い捨て着用可能吸収性物品１００Ａはまた、腰部開口部１０７と、脚部開口部１０８とを含む。吸収性物品１００Ａは、前側１０１に配置される長手方向に向けられている可視充満度インジケータ１３１を含む。吸収性物品１００Ａは、前側１０１に配置される、文字Ａで表わされる一次視覚的しるしと、文字Ｂで表わされる二次視覚的しるしと、文字Ｃで表わされる三次視覚的しるしとを更に含む。全体を合わせて、可視充満度インジケータ１３１、並びに一次、二次、及び三次視覚的しるしＡ、Ｂ、及びＣは、可視充満度表示システムと考えることができる。
【００１６】
本開示全体を通して、パンツ型使い捨て着用可能吸収性物品への言及は、側面で締結可能な実施形態、又は締結具のない実施形態を指すことができる。パンツ型使い捨て着用可能吸収性物品への言及はまた、予備成形された腰部及び／又は脚部開口部を有する物品、あるいは予備成形されていない実施形態を指すことができる。したがって、パンツ型として説明される本開示の吸収性物品の各実施形態は、当業者には理解されるように、これらの様式のいずれかで構成され得る。
【００１７】
図１Ｂは、着用のために形成されるパンツ型使い捨て着用可能吸収性物品１００Ｂの側部１０３及び後側１０５の外側斜視図を示す。吸収性物品１００Ｂは、前側腰部縁部１０２と後側腰部縁部１０４とを含む。パンツ型使い捨て着用可能吸収性物品１００Ｂはまた、腰部開口部１０７と脚部開口部１０８とを含む。吸収性物品１００Ｂは、後側１０５に配置された長手方向に向けられている可視充満度インジケータ１３５を含む。吸収性物品１００Ｂは、後側１０５に配置される、文字Ａで表わされる一次視覚的しるしと、文字Ｂで表わされる二次視覚的しるしと、文字Ｃで表わされる三次視覚的しるしとを更に含む。全体を合わせて、可視充満度インジケータ１３５、並びに一次、二次、及び三次視覚的しるしＡ、Ｂ、及びＣは、可視充満度表示システムと考えることができる。
【００１８】
図１Ｃは、平面に展開されたパンツ型使い捨て着用可能吸収性物品１００Ｃの外側平面図を示す。使い捨て着用可能吸収性物品１００Ｃは、横方向中心線１１６で分けられる前側１０１と後側１０５とを含む。吸収性物品１００Ｃはまた、前側腰部縁部１０２と後側腰部縁部１０４とを含む。
【００１９】
図１Ｃでは、長手方向中心線１１３及び横方向中心線１１６が、使い捨て着用可能吸収性物品１００Ｃの相対位置を参照するための基準線を提供する。第１の位置が第２の位置よりも長手方向中心線１１３に近接するとき、第１の位置は、第２の位置に対して横方向内側１１２にあると考えることができる。同様に、第２の位置は、第１の位置から横方向外側１１１にあるものと考えることができる。第３の位置が第４の位置よりも横方向中心線１１６に近接するとき、第３の位置は、第４の位置に対して長手方向内側１１５にあると考えることができる。また、第４の位置は、第３の位置から長手方向外側１１４にあるものと考えることができる。
【００２０】
内側位置（inboard location）への言及は、横方向又は長手方向の制限なく、別の位置に対して横方向内側及び／又は長手方向内側にある、使い捨て着用可能吸収性物品１００Ｃの位置を指す。同様に、外側位置（outboard location）への言及は、横方向又は長手方向の制限なく、別の位置より横方向外側及び／又は長手方向外側にある、使い捨て着用可能吸収性物品１００Ｃの位置を指す。
【００２１】
使い捨て着用可能吸収性物品の中心を参照して、内側及び外側を理解することもできる。長手方向中心線１１３及び横方向中心線１１６は、使い捨て着用可能吸収性物品１００Ｃの中心１１９で交差する。ある位置が別の位置よりも中心１１９に近接している場合、このある位置は他方の位置に対して内側にあると考えることができる。このある位置は、横方向に若しくは長手方向で、又は横方向及び長手方向の両方で内側にあり得る。もう一方の位置は、このある位置より外側にあると考えることができる。このもう一方の位置は、横方向に若しくは長手方向で、又は横方向及び長手方向の両方で外側にあり得る。
【００２２】
図１Ｃは、それぞれ使い捨て着用可能吸収性物品１００Ｃに関し、横方向外側１１１、横方向内側１１２、長手方向外側１１４、及び長手方向内側１１５の相対方向を示す矢印を含んでいる。本開示全体を通して、長手方向寸法、測定値、線、又は方向への言及は、長手方向中心線１１３に対してほぼ又は完全に平行である寸法、測定値、線、又は方向を指し、横方向寸法、測定値、線、又は方向への言及は、横方向中心線１１６に対してほぼ又は完全に平行である寸法、測定値、線、又は方向を指す。上述のような相対位置を説明するための用語は、使い捨て着用可能吸収性物品に関して本開示全体を通して使用される。この用語は、当業者には理解されるように、種々のその他の吸収性物品にも同様に適用され得る。
【００２３】
使い捨て着用可能吸収性物品１００Ｃは、トップシート１０６と、外側カバー１０９と、獲得層１９１と、分配層１９３と、吸収性コア１９５とを含む。外側カバー１０９の一部分は、トップシート１０６の一部分と吸収性コア１９５の一部分とを図示するために、破られて示されている。吸収性コア１９５の一部分は、分配層１９３の一部分を図示するために、破られて示されている。分配層１９３の一部分は、獲得層１９１の一部分を図示するために、破られて示されている。
【００２４】
使い捨て着用可能吸収性物品１００Ｃは、様々な例示的な位置及び配向にある多数のインジケータを含む。使い捨て着用可能吸収性物品１００Ｃは、前側１０１の長手方向中心線１１３に沿った、長手方向に向けられている可視充満度インジケータ１３１を含む。前側１０１は、文字Ａで表わされる一次視覚的しるしと、文字Ｂで表わされる二次視覚的しるしと、文字Ｃで表わされる三次視覚的しるしとを更に含む。全体を合わせて、可視充満度インジケータ１３１、並びに一次、二次、及び三次視覚的しるしＡ、Ｂ、及びＣは、可視充満度表示システムと考えることができる。
【００２５】
使い捨て着用可能吸収性物品１００Ｃはまた、後側１０５の長手方向中心線１１３に沿った、長手方向に向けられている別の可視充満度インジケータ１３５を含む。後側１０５は、文字Ａで表わされる一次視覚的しるしと、文字Ｂで表わされる二次視覚的しるしと、文字Ｃで表わされる三次視覚的しるしとを更に含む。全体を合わせて、可視充満度インジケータ１３５、並びに一次、二次、及び三次視覚的しるしＡ、Ｂ、及びＣは、可視充満度表示システムと考えることができる。代替実施形態では、三次視覚的しるしＣはこのシステムに存在しなくてもよい。
【００２６】
使い捨て着用可能吸収性物品１００Ｃでは、インジケータは、中心１１９から実質的に放射状に配向される。しかしながら、当業者には理解されるように、図１Ｃに例示されている位置及び配向に加えて、本開示の可視充満度インジケータは、吸収性物品内の種々の代替位置及び配向に配置されることができる。一例として、可視充満度インジケータは、パンツ型使い捨て着用可能吸収性物品に、横方向の配向で又は物品の中心線に対して角度をなして配置されることができる。
【００２７】
図２Ａは、着用のために形成される前側締結可能な使い捨て着用可能吸収性物品２００Ａの前側２０１及び側部２０３の外側斜視図を示している。吸収性物品２００Ａは、前側腰部縁部２０２と後側腰部縁部２０４とを含む。パンツ型使い捨て着用可能吸収性物品２００Ａはまた、腰部開口部２０７と脚部開口部２０８とを含む。吸収性物品２００Ａは、前側２０１に配置された長手方向に向けられている可視充満度インジケータ２３１を含む。吸収性物品２００Ａは、前側２０１に配置される、文字Ａで表わされる一次視覚的しるしと、文字Ｂで表わされる二次視覚的しるしと、文字Ｃで表わされる三次視覚的しるしとを更に含む。全体を合わせて、可視充満度インジケータ２３１、並びに一次、二次、及び三次視覚的しるしＡ、Ｂ、及びＣは、可視充満度表示システムと考えることができる。
【００２８】
本開示は前側締結可能な吸収性物品を参照しているが、本開示は、本明細書に記載のような可視充満度インジケータと一次及び二次視覚的しるしとを有する吸収性物品の代替実施形態も想到し、この吸収性物品は後方締結可能である。したがって、前側締結可能であるとして説明される本開示の吸収性物品の各実施形態は、当業者には理解されるように、後方締結可能に構成されることも可能である。
【００２９】
図２Ｂは、着用のために形成される前側締結可能な使い捨て着用可能吸収性物品２００Ｂの側部２０３及び後側２０５の外側斜視図を示している。吸収性物品２００Ｂは、前側腰部縁部２０２と後側腰部縁部２０４とを含む。パンツ型使い捨て着用可能吸収性物品２００Ｂはまた、腰部開口部２０７と脚部開口部２０８とを含む。吸収性物品２００Ｂは、後側２０５に配置される、長手方向に向けられている可視充満度インジケータ２３５を含む。吸収性物品２００Ｂは、前側２０１に配置される、文字Ａで表わされる一次視覚的しるしと、文字Ｂで表わされる二次視覚的しるしと、文字Ｃで表わされる三次視覚的しるしとを更に含む。全体を合わせて、可視充満度インジケータ２３５、並びに一次、二次、及び三次視覚的しるしＡ、Ｂ、及びＣは、可視充満度表示システムと考えることができる。
【００３０】
図２Ｃは、平面に展開された前側締結可能な使い捨て着用可能吸収性物品２００Ｃの外側平面図を示している。使い捨て着用可能吸収性物品２００Ｃは、前側２０１と、後側２０５と、長手方向中心線２１３と、横方向中心線２１６とを含む。吸収性物品２００Ｃは、前側腰部縁部２０２と後側腰部縁部２０４とを更に含む。
【００３１】
使い捨て着用可能吸収性物品２００Ｃは、トップシート２０６と、外側カバー２０９と、獲得層２９１と、分配層２９３と、吸収性コア２９５とを含む。外側カバー２０９の一部分は、トップシート２０６の一部分と吸収性コア２９５の一部分とを図示するために、破られて示されている。吸収性コア２９５の一部分は、分配層２９３の一部分を図示するために、破られて示されている。分配層２９３の一部分は、獲得層２９１の一部分を図示するために、破られて示されている。
【００３２】
使い捨て着用可能吸収性物品２００Ｃは、様々な例示的な位置及び配向にある多数のインジケータを含む。使い捨て着用可能吸収性物品２００Ｃは、前側２０１の長手方向中心線２１３に沿った、長手方向に向けられている可視充満度インジケータ２３１を含む。前側２０１は、文字Ａで表わされる一次視覚的しるしと、文字Ｂで表わされる二次視覚的しるしと、文字Ｃで表わされる三次視覚的しるしとを更に含む。全体を合わせて、可視充満度インジケータ２３１、並びに一次、二次、及び三次視覚的しるしＡ、Ｂ、及びＣは、可視充満度表示システムと考えることができる。
【００３３】
使い捨て着用可能吸収性物品２００Ｃはまた、後側２０５の長手方向中心線２１３に沿った、長手方向に向けられている可視充満度インジケータ２３５を含む。後側２０５は、文字Ａで表わされる一次視覚的しるしと、文字Ｂで表わされる二次視覚的しるしと、文字Ｃで表わされる三次視覚的しるしとを更に含む。全体を合わせて、可視充満度インジケータ２３５、並びに一次、二次、及び三次視覚的しるしＡ、Ｂ、及びＣは、可視充満度表示システムと考えることができる。代替実施形態では、三次視覚的しるしＣはこのシステムに存在しなくてもよい。
【００３４】
使い捨て着用可能吸収性物品２００Ｃにおいて、インジケータは、中心２１９から実質的に放射状に配向される。しかしながら、当業者には理解されるように、図２Ｃに例示されている位置及び配向に加えて、本開示の可視充満度インジケータは、吸収性物品内の種々の代替位置及び配向に配置されることができる。一例として、可視充満度インジケータは、前側締結可能な使い捨て着用可能吸収性物品に、横方向の配向で又は物品の中心線に対して角度をなして配置されることができる。
【００３５】
図３Ａは、平面に展開された吸収性物品３００の前側３０１の一部分の外側平面図を示している。種々の実施形態において、吸収性物品３００は、パンツ型使い捨て着用可能吸収性物品又は前側締結可能な使い捨て着用可能吸収性物品などの使い捨て着用可能吸収性物品であることができる。図３Ａでは、この一部分は吸収性物品３００の他の部分から切り離して図示されているので、前側３０１のこの一部分は、吸収性物品３００の前側腰部縁部３０２によって、及び折れ線によって囲まれている。参照用に、図３Ａは、吸収性物品３００の長手方向外側３１４及び長手方向内側３１５の相対方向を示す矢印を図示している。図３Ａの実施形態は前側３０１に関して図示されているが、この実施形態は、吸収性物品の後側にも同様に配置され得る。
【００３６】
吸収性物品３００の前側３０１の一部分は、湿潤度インジケータ３３０を含む。湿潤度インジケータ３３０は可視充満度インジケータである。しかしながら、種々の実施形態において、湿潤度インジケータ３３０は、当業者には理解されるように、別の形態の可視湿潤度インジケータとして構成されることができる。
【００３７】
可視充満度インジケータ３３０は、吸収性物品３００の中心３１９からオフセットされて配置される。種々の実施形態において、インジケータの１つ以上の部分は、吸収性物品の中心近くに、中心に、又は中心と重なって配置され得る。例えば、単一の表示エリアは、吸収性物品の前側から、吸収性物品の中心を通って、吸収性物品の後側まで延在することができる。このような実施形態では、表示エリアに沿った最も遠い内側点は、２つのインジケータの内側末端部と考えることができる。
【００３８】
可視充満度インジケータ３３０は、１つの可視充満度表示エリアを含む。可視充満度インジケータ３３０は、長手方向内側末端部３３２と長手方向外側末端部３３３とを含む。可視充満度インジケータ３３０は、可視充満度インジケータ３３０に沿って内側末端部３３２から外側末端部３３３まで測定される全インジケータ長３３１を有する。可視充満度インジケータ３３０は、実質的に細長い全体的形状を有し、かつ全インジケータ長全体に沿って実質的に均一な幅を有する。
【００３９】
種々の実施形態において、インジケータ及び／又は表示エリアは、程度の差はあるが細長い全体的形状を有することができる。一部の実施形態では、インジケータ及び／又は表示エリアの一部分、若しくは複数の部分、又は全ては、直線状、曲線状、角度付き、セグメント化された、又は任意の規則的若しくは不規則的な幾何学的形状（例えば正方形、矩形、三角形、台形、八角形、六角形、星形、半円、四半円、半楕円形、四半楕円形、放射パターンなど）、認識可能な画像（例えば、文字、数字、単語、キャラクター、動物の顔、人の顔など）、又は別の認識可能な画像（例えば植物、自動車など）、あるいは別の形状、又はこれらの形状の組み合わせであり得る。また、種々の実施形態において、インジケータ及び／又は表示エリアは、その長さの一部分、若しくは複数の部分、又は全てにわたって異なる幅を有することができる。
【００４０】
可視充満度インジケータは、１つ以上の可視インジケータ及び／又は可視表示エリアの、視覚的に区別可能かつ認識可能な経路である。経路は、その可視状況において認識可能である。換言すれば、経路は、周辺エリアの見た目と比べたとき、はっきりと区別できかつ認識可能である。可視充満度インジケータの経路は、２つの画定された末端部と、これら２つの末端部の間の中間部と、その一方の末端部から他方の末端部までの画定された長さとを有する。可視充満度インジケータは、１つ以上の幅を有することができ、この幅のそれぞれは規定長未満である。
【００４１】
可視充満度インジケータは、様々な形態に構成され得る。例えば、可視充満度インジケータは、経路に沿って配置された単一の連続的表示エリアによって形成されることができる。別の例として、可視充満度インジケータは、経路に沿って配置された複数の別個のインジケータ及び／又は別個の表示エリアによって形成されることができる。
【００４２】
可視充満度インジケータ３３０は、全インジケータ長全体に沿って吸収性物品３００の吸収性コアと流体連通している。種々の実施形態において、可視インジケータは、インジケータの一部分、若しくは複数の部分、又はほぼ全て、又は全てが、吸収性コアと流体連通しているように構成され得る。一部の実施形態では、可視インジケータは、インジケータの一部分、若しくは複数の部分、又はほぼ全て、又は全てが、吸収性コアと重なり合うように、あるいはインジケータの一部分、若しくは複数の部分、又はほぼ全て、又は全てが、吸収性コアと重なり合わないように構成され得る。
【００４３】
本開示全体を通して、流体連通は、液状物質がある要素又は位置から別の要素又は位置まで自由に通過できるようにする、構成された構造的関係を指すが、液体が通過する可能性があり得る共通要素に連結又は接合されるだけでは、ある要素又は位置が別の要素又は位置と流体連通しているとは必ずしもみなされない。この流体連通の定義は、以下の例によって更に説明される。
【００４４】
例えば、液状物質が、ある要素から接触部分を通って別の要素まで自由に通過することができるように、ある要素が別の要素と直接的な物理接触をするように構成される場合は、これらの要素は流体連通しているとみなされることができる。別の例として、液状物質が、ある要素から流体連通のための手段を通って別の要素まで自由に通過することができるように、ある要素が、流体連通のための手段によって別の要素に連結される場合、これらの要素は流体連通しているとみなされることができる。
【００４５】
更なる例として、ある要素が基材に連結され、別の要素が同じ基材に接続されるが、この基材が液状物質を自由に通過させない場合は、これらの要素は流体連通していないとみなされることができる。このことは、液体が自由に通過できない限り、液体が基材を通過する可能性があり得る場合にも当てはまる。これらの例を通して説明された液体連通の上記定義は、当業者には理解されよう。
【００４６】
本開示全体を通して、用語液状排泄物は、液状で出る任意の身体内物質（例えば尿）及び／又は任意の液体様身体内物質（例えば粘性が低い糞便）を指す。
【００４７】
一次可視充満度インジケータ３３０は、液状排泄物の存在を示すときに、１つ以上の初期可視状態から１つ以上の後続可視状態へと変化するように構成される。本開示全体を通して、用語可視状態は、標準的な照明条件において正常視力を有する裸眼のヒトが知覚することができる外観を指す。可視状態は、１つ以上の色、色の変化、模様、文字、数字、記号、デザイン、画像、及び／又はその他の視覚デバイスを含むことができる。色は、例えば赤、オレンジ、黄色、緑、青、紫等などの周知の色を含む。色の変化は、とりわけ、彩度、色相、及び輝度の変化を含む。参照しやすいようにこれら非公式な用語を使用するが、本開示の実施形態は、標準的な照明条件において正常視力を有する裸眼のヒトが知覚することができる全ての色を包含することを意図している。
【００４８】
種々の実施形態において、可視充満度表示エリアの一部分、若しくは複数の部分、又は全ては、１つ以上の初期可視状態から１つ以上の後続可視状態へと変化するように構成され得る。また、本開示の実施形態では、可視充満度表示エリアの特定部分に関し、後続可視状態が第１の初期可視状態と視覚的に区別可能である限り、初期可視状態及び後続可視状態は、それぞれ任意の可視状態であることができる。
【００４９】
本開示全体を通して、可視状態は、標準的な照明条件において正常視力を有する裸眼のヒトが見てすぐに異なっていると認識することができる場合に、視覚的に区別可能であると考えられる。一例として、標準的な照明条件において正常視力を有する裸眼のヒトは、青と黄色が異なる色であることを見てすぐに認識できなくてはならない。したがって、青及び黄色は、視覚的に区別可能な可視状態であると考えられる。別の例として、標準的な照明条件において正常視力を有する裸眼のヒトは、明るい色合いのオレンジと暗い色合いのオレンジが異なる色合いの色であることを見てすぐに認識可能であり得る。したがって、明るい色合いのオレンジ及び暗い色合いのオレンジは、視覚的に区別可能な可視状態であると考えられる。更なる例として、標準的な照明条件において正常視力を有する裸眼のヒトは、第１の模様と第２の模様が異なる可視状態であることを見てすぐに認識可能であり得る。したがって、第１の模様及び第２の模様は、視覚的に区別可能な可視状態であると考えられる。
【００５０】
なお更なる例として、標準的な照明条件において正常視力を有する裸眼のヒトは、文字を有する領域と空白領域が異なる可視状態であることを見てすぐに認識できるべきである。したがって、文字を有する領域及び空白領域は、視覚的に区別可能な可視状態であると考えられる。同様に、数字、記号、デザイン、画像、及び／又はその他の視覚デバイスを有する領域も、空白領域と、又は均一に色の付いた領域と、視覚的に区別可能であると考えられる。当業者には理解されるように、これらの例に加えて、これら以外の多くの可能な視覚的に区別可能な可視状態が存在する。
【００５１】
当業者には理解されるように、排泄物の存在を示すときに可視状態を変化させる可視インジケータを含むように本開示の吸収性物品を構成することができる、いくつかの方法が存在する。例えば、吸収性物品は、次の米国特許に記載されるような可視充満度インジケータを含むように構成され得る：米国特許第４，０２２，２１１号、名称「Ｗｅｔｎｅｓｓ  ｉｎｄｉｃａｔｏｒ  ｆｏｒ  ａｂｓｏｒｂｅｎｔ  ｐａｄｓ」、１９７７年５月１０日にＴｉｍｍｏｎｓらに付与；米国特許第４，２３１，３７０号、名称「Ｄｉｓｐｏｓａｂｌｅ  ｄｉａｐｅｒ  ｔｙｐｅ  ｇａｒｍｅｎｔ  ｈａｖｉｎｇ  ｗｅｔｎｅｓｓ  ｉｎｄｉｃａｔｏｒ」、１９８０年１１月４日にＭｒｏｚらに付与；米国特許第４，３２７，７３１号、名称「Ｍｏｉｓｔｕｒｅ  ｉｎｄｉｃａｔｏｒ」、１９８２年５月４日にＰｏｗｅｌｌに付与；米国特許第４，６８１，５７６号、名称「Ｗｅｔｎｅｓｓ  ｉｎｄｉｃａｔｉｎｇ  ｈｏｔ−ｍｅｌｔ  ａｄｈｅｓｉｖｅ」、１９８７年７月２１日にＣｏｌｏｎらに付与；米国特許第４，７０５，５１３号、名称「Ｄｉｓｐｏｓａｂｌｅ  ｄｉａｐｅｒ  ｗｉｔｈ  ｗｅｔｎｅｓｓ  ｉｎｄｉｃａｔｏｒ」、１９８７年１１月１０日にＳｈｅｌｄｏｎらに付与；米国特許第４，７３８，６７４号、名称「Ｍｏｉｓｔｕｒｅ  ｉｎｄｉｃａｔｏｒ  ａｐｐａｒａｔｕｓ  ａｎｄ  ｍｅｔｈｏｄ」、１９８８年４月１９日にＴｏｄｄらに付与；米国特許第４，７４３，２３８号、名称「Ｗｅｔｎｅｓｓ  ｉｎｄｉｃａｔｉｎｇ  ｈｏｔ−ｍｅｌｔ  ａｄｈｅｓｉｖｅ」、１９８８年５月１０日にＣｏｌｏｎらに付与；米国特許第４，８９５，５６７号、名称「Ｗｅｔｎｅｓｓ  ｉｎｄｉｃａｔｉｎｇ  ｈｏｔ−ｍｅｌｔ  ａｄｈｅｓｉｖｅ」、１９９０年１月２３日にＣｏｌｏｎらに付与；米国特許第４，９３１，０５１号、名称「Ｗｅｔｎｅｓｓ  ｉｎｄｉｃａｔｏｒ」、１９９０年６月５日にＣａｓｔｅｌｌｏに付与；米国特許第５，０３５，６９１号、名称「Ｈｏｔ  ｍｅｌｔ  ｍｏｉｓｔｕｒｅ  ｉｎｄｉｃａｔｏｒ  ｍａｔｅｒｉａｌ  ｆｏｒ  ｄｉｓｐｏｓａｂｌｅ  ａｒｔｉｃｌｅｓ」、１９９１年７月３０日にＺｉｍｍｅｌらに付与；米国特許第５，０６６，７１１号、名称「Ｗｅｔｎｅｓｓ  ｉｎｄｉｃａｔｉｎｇ  ｈｏｔ−ｍｅｌｔ  ａｄｈｅｓｉｖｅ」、１９９１年１１月１９日にＣｏｌｏｎらに付与；米国特許第５，０８９，５４８号、名称「Ｈｏｔ  ｍｅｌｔ  ｍｏｉｓｔｕｒｅ  ｉｎｄｉｃａｔｏｒ  ｍａｔｅｒｉａｌ  ｆｏｒ  ｄｉｓｐｏｓａｂｌｅ  ａｒｔｉｃｌｅｓ」、１９９２年２月１８日にＺｉｍｍｅｌらに付与；米国特許第５，１６７，６５２号、名称「Ｍｏｉｓｔｕｒｅ  ｓｅｎｓｉｔｉｖｅ  ｆｉｌｍ」、１９９２年１２月１日にＭｕｅｌｌｅｒに付与；米国特許第５，３４２，８６１号、名称「Ｈｏｔ  ｍｅｌｔ  ｗｅｔｎｅｓｓ  ｉｎｄｉｃａｔｏｒ」、１９９４年８月３０日にＲａｙｋｏｖｉｔｚに付与；米国特許第５，３５４，２８９号、名称「Ａｂｓｏｒｂｅｎｔ  ｐｒｏｄｕｃｔ  ｉｎｃｌｕｄｉｎｇ  ｓｕｐｅｒ  ａｂｓｏｒｂｅｎｔ  ｍａｔｅｒｉａｌ  ａｎｄ  ｆｌｕｉｄ  ａｂｓｏｒｐｔｉｏｎ  ｃａｐａｃｉｔｙ  ｍｏｎｉｔｏｒ」、１９９４年１０月１１日にＭｉｔｃｈｅｌｌらに付与���米国特許第Ｈ１，３７６号、名称「Ｃａｐａｃｉｔｙ  ｉｎｄｉｃｉａ  ｆｏｒ  ａｂｓｏｒｂｅｎｔ  ａｒｔｉｃｌｅｓ」、１９９４年１１月１日にＯｓｂｏｒｎｅらに付与；米国特許第５，６４７，８６３号、名称「Ａｂｓｏｒｂｅｎｔ  ａｒｔｉｃｌｅ  ｗｉｔｈ  ｃｌｅａｎ  ａｐｐｅａｒａｎｃｅ  ａｎｄ  ｃａｐａｃｉｔｙ  ｓｉｇｎａｌ  ｍｅａｎｓ」、１９９７年７月１５日にＨａｍｍｏｎｓらに付与；米国特許第５，６９０，６２４号、名称「Ｄｉｓｐｏｓａｂｌｅ  ｄｉａｐｅｒ」、１９９７年１１月２５日にＳａｓａｋｉらに付与；米国特許第５．７６６，２１２号、名称「Ｄｉｓｐｏｓａｂｌｅ  ｄｉａｐｅｒ」、１９９８年６月１６日にＪｉｔｏｅらに付与；米国特許第６，０７５，１７８号、名称「Ａｂｓｏｒｂｅｎｔ  ａｒｔｉｃｌｅ  ｗｉｔｈ  ｗｅｔｎｅｓｓ  ｉｎｄｉｃａｔｏｒ」、２０００年６月１３日に付与；米国特許第６，５１５，１９４号、名称「Ｄｉａｐｅｒ  ｈａｖｉｎｇ  ｃｅｎｔｒａｌｌｙ−ｌｏｃａｔｅｄ  ｃｈｒｏｍａｔｏｇｒａｐｈｉｃ  ｌａｙｅｒ  ｗｉｔｈ  ｐｅｒｉｐｈｅｒａｌｌｙ−ｌｏｃａｔｅｄ  ｗｅｔｎｅｓｓ  ｉｎｄｉｃａｔｏｒ」、２００３年２月４日にＮｅａｄｉｎｇらに付与；米国特許第６，５９６，９１８号、名称「Ａｂｓｏｒｂｅｎｔ  ａｒｔｉｃｌｅｓ  ｈａｖｉｎｇ  ｗｅｔｎｅｓｓ  ｉｎｄｉｃａｔｉｎｇ  ｇｒａｐｈｉｃｓ  ａｎｄ  ｅｍｐｌｏｙｉｎｇ  ｍａｓｋｉｎｇ  ｔｅｃｈｎｉｑｕｅｓ」、２００３年７月２２日にＷｅｈｒｌｅらに付与；米国特許第６，６５３，５２２号、名称「Ｈｏｔ  ｍｅｌｔ  ａｄｈｅｓｉｖｅｓ  ｂａｓｅｄ  ｏｎ  ｓｕｌｆｏｎａｔｅｄ  ｐｏｌｙｅｓｔｅｒｓ  ｃｏｍｐｒｉｓｉｎｇ  ｗｅｔｎｅｓｓ  ｉｎｄｉｃａｔｏｒ」、２００３年１１月２５日にＢｌｕｍｅｎｔｈａｌらに付与；米国特許第６，７７２，７０８号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ」、１９９４年８月１０日にＫｌｏｆｔａらに付与；米国特許第６，９０４，８６５号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ  ａｎｄ  ｄｕｒａｂｉｌｉｔｙ」、２００５年６月１４日にＫｌｏｆｔａらに付与；米国特許第７，１５９，５３２号、名称「Ｗｅｔｎｅｓｓ  ｉｎｄｉｃａｔｏｒ  ｈａｖｉｎｇ  ｉｍｐｒｏｖｅｄ  ｃｏｌｏｒａｎｔ  ｒｅｔｅｎｔｉｏｎ  ａｎｄ  ｄｕｒａｂｉｌｉｔｙ」、２００７年１月９日にＫｌｏｆｔａらに付与；米国特許第７，１７２，６６７号、名称「Ｓｙｓｔｅｍ  ａｎｄ  ｍｅｔｈｏｄ  ｆｏｒ  ｉｎｃｏｒｐｏｒａｔｉｎｇ  ｇｒａｐｈｉｃｓ  ｉｎｔｏ  ａｂｓｏｒｂｅｎｔ  ａｒｔｉｃｌｅｓ」、２００７年２月６日にＶｅｒｇｏｎａに付与；米国特許第７，１７８，５７１号、名称「Ｓｙｓｔｅｍ  ａｎｄ  ｍｅｔｈｏｄ  ｆｏｒ  ｉｎｃｏｒｐｏｒａｔｉｎｇ  ｇｒａｐｈｉｃｓ  ｉｎｔｏ  ａｂｓｏｒｂｅｎｔ  ａｒｔｉｃｌｅｓ」、２００７年２月２０日にＶｅｒｇｏｎａに付与；米国特許第７，３０６，７６４号、名称「Ｗｅｔｎｅｓｓ  ｉｎｄｉｃａｔｏｒ」、２００７年１２月１１日にＭｏｄｙに付与；及び米国特許第７，３３２，６４２号、名称「Ｄｉｓｐｏｓａｂｌｅ  ａｂｓｏｒｂｅｎｔ  ａｒｔｉｃｌｅｓ  ｈａｖｉｎｇ  ｐｒｉｎｔｅｄ  ｗｅｔｎｅｓｓ  ｉｎｄｉｃａｔｏｒｓ」、２００８年２月１９日にＬｉｕに付与（当該特許はそれぞれ参照により本明細書に組み込まれる）。
【００５２】
吸収性物品３００は、吸収性物品３００が着用者により着用されると、一次可視充満度インジケータ３３０の一部分、若しくは複数の部分、又は全てが、吸収性物品３００の外側から見えるように構成され得る。その結果、一次可視充満度インジケータ３３０の後続可視状態の少なくとも一部は、吸収性物品３００の外側から見える。
【００５３】
少なくとも一次視覚的しるし及び二次視覚的しるしを有する可視充満表示システムは、吸収性物品３００の充満度に関する確実性をもたらすのを助けることができる。吸収性物品３０の前側３０１の一部分は、視覚的しるし３２０を含む。視覚的しるし３２０は、文字Ａで表わされる一次視覚的しるしの一次グループ３４０と、文字Ｂで表わされる二次視覚的しるしの二次グループ３６０と、文字Ｃで表わされる三次視覚的しるしの三次グループ３８０とを含む。
【００５４】
視覚的しるしは、充満度の程度を表すように構成される、１つ以上の色、色のバリエーション、模様、手触り、文字、数字、記号、デザイン、画像、形状及び／又はその他の視覚デバイスを含むことによって、特定の程度の充満度を視覚的に表わすように構成され得る視覚デバイスである。本明細書に記載のように、一部の実施形態では、視覚的しるしのグループの各視覚的しるしは、それ自体が個別の視覚要素であることができ、他の実施形態では、視覚的しるしのグループの１つ以上の視覚的しるしは、単一の視覚要素によって一緒に表わされることができる。
【００５５】
種々の実施形態では、１つの視覚的しるし又は多数の視覚的しるしは、直線状、曲線状、角度付き、セグメント化されている形状、又は任意の規則的若しくは不規則な幾何学的形状（例えば正方形、矩形、三角形、台形、八角形、六角形、星形、半円、四半円、半楕円形、四半楕円形、放射パターンなど）、認識可能な画像（例えば、文字、数字、単語、キャラクター、動物の顔、人の顔など）、又は別の認識可能な画像（例えば植物、自動車など）、あるいは別の形状、又はこれらの形状の組み合わせで表わされることができる。
【００５６】
視覚的しるしは、一次視覚的しるしが二次視覚的しるしと視覚的に区別可能であり、三次視覚的しるしが二次視覚的しるしと視覚的に区別可能である限り、任意の視覚デバイスであり得る。例えば、一次視覚的しるしは緑であることができ、二次視覚的しるしは黄色であることができ、第３の視覚的しるしは赤であることができる。
【００５７】
吸収性物品３００は、吸収性物品３００が着用者により着用されると、しるしの一次グループ３４０、二次グループ３６０、及び三次グループ３８０の一部分、若しくは複数の部分、又は全てが、吸収性物品３００の外側から見えるように構成され得る。その結果、一次しるしＡ、二次しるしＢ、及び三次しるしＣのうちの少なくともいくつかは、吸収性物品３００の外側から見える。
【００５８】
一次グループ３４０は、長手方向内側末端部３４２と、長手方向外側末端部３４３と、内側末端部３４２から外側末端部３４３まで測定される全一次グループ長３４１とを含む。二次グループ３６０は、長手方向内側末端部３６２と、長手方向外側末端部３６３と、内側末端部３６２から外側末端部３６３まで測定される全二次グループ長３６１とを含む。三次グループ３８０は、長手方向内側末端部３８２と、長手方向外側末端部３８３と、内側末端部３８２から外側末端部３８３まで測定される全三次グループ長３８１とを含む。視覚的しるしが１つだけ存在する場合、視覚的しるしの最も遠い内側点は内側末端部と考えることができ、視覚的しるしの最も遠い外側点は外側末端部と考えることができる。
【００５９】
一次視覚的しるしＡのそれぞれは、第１の程度の充満度を視覚的に表わすように構成される。二次視覚的しるしＢのそれぞれは、第２の充満度の程度を視覚的に表わすように構成される。三次視覚的しるしＣのそれぞれは、第３の充満度の程度を視覚的に表わすように構成される。各グループにおいて、各視覚的しるしは、そのグループ内の他の視覚的しるしと類似の外観又は同一の外観を有するように構成される。
【００６０】
吸収性物品３００の前側３０１の一部分は、８つの一次視覚的しるしＡと、４つの二次視覚的しるしＢと、２つの三次視覚的しるしとを含むが、吸収性物品は、様々な数のそのような視覚的しるしを含むことができる。視覚的しるしＡ、Ｂ、及びＣは、可視充満度インジケータ３３０の後続可視状態の漸次的存在と、吸収性物品３０の様々な程度の充満度とを相互に関連付けるように構成される。
【００６１】
一次視覚的しるしＡは、吸収性物品３００の第１の充満度の程度と相関するように構成される。二次視覚的しるしＢは、一次視覚的しるしＡより長手方向外側に配置されるので、二次視覚的しるしＢは、第１の充満度の程度よりも大きな第２の充満度の程度と相関するように構成される。三次視覚的しるしＣは、二次視覚的しるしＢより長手方向外側に配置されるので、三次視覚的しるしＣは、第２の充満度の程度よりも大きな第３の充満度の程度と相関するように構成される。
【００６２】
図３Ａの実施形態では、一次、二次、及び三次視覚的しるしＡ、Ｂ、及びＣは、可視充満度インジケータ３３０に近接して配置される。しかしながら、種々の実施形態において、このような視覚的しるしは可視充満度インジケータから離れて配置されることができるが、視覚的しるしと可視充満度インジケータに沿った位置とを関連付けるために、接続線などの視覚的手段を用いることができる。図３Ａの実施形態では、一次、二次、及び三次視覚的しるしＡ、Ｂ、及びＣは、可視充満度インジケータ３３０の１つの長手方向側部に沿って配置される。しかしながら、一部の実施形態では、これらの視覚的しるしのいくつかは、可視充満度インジケータの反対側に配置され得る。
【００６３】
図３Ａの実施形態では、一次、二次、及び三次視覚的しるしＡ、Ｂ、及びＣは、互いに規則的に離間している。しかしながら、種々の実施形態において、このような視覚的しるしは、不規則な間隔で互いに離間することができる。図３Ａの実施形態では、一次グループ３４０の全一次グループ長３４１は、二次グループ３４０の全二次グループ長３６１よりも大きく、二次グループ３４０の全二次グループ長３６１は、三次グループ３８０の全三次グループ長３８１よりも大きい。しかしながら、これは必須ではなく、一部の実施形態では、グループの長さは様々であり得る。
【００６４】
図３Ｂ〜図３Ｇに示されるように、可視充満度インジケータ３３０は、可視状態を漸次変化させるように構成され得る。第１に、可視充満度インジケータ３３０は、吸収性物品３００の吸収性コアの中の液状排泄物の存在を第１の範囲まで表すときに、一次視覚的しるしの一次グループ３４０に隣接する部分において、初期可視状態から後続可視状態へと変化し始めることができる。第２に、可視充満度インジケータ３３０は、吸収性物品３００の吸収性コアの中の液状排泄物の存在を第２の範囲まで表すときに、二次視覚的しるしの二次グループ３６０に隣接する部分において、初期可視状態から後続可視状態へと変化し始めることができる。第３に、可視充満度インジケータ３３０は、吸収性物品３００の吸収性コアの中の液状排泄物の存在を第３の範囲まで表すときに、三次視覚的しるしの三次グループ３８０に隣接する部分において、初期可視状態から後続可視状態へと変化し始めることができる。一次、二次、及び／又は三次視覚的しるしに近接する後続可視状態の部分的又は完全な有無は、吸収性物品３００の充満度を表すことができる。
【００６５】
可視充満度インジケータが可視状態を変化させるときに、可視充満度インジケータは表示シグナルを提供する。視覚的しるしは、インジケータからの表示シグナルに加えて、及び該表示シグナルとは別の、追加の追加表示シグナルを提供する。シグナルのこの組み合わせは、合わせると理解しやすい。したがって、可視充満度インジケータと、少なくとも一次視覚的しるし及び二次視覚的しるしとの組み合わせは、吸収性物品の充満度に関する確実性をもたらすのを助けることができる。図３Ａの実施形態では、可視充満度インジケータ３３０と、視覚的しるし３４０、３６０、及び３８０のグループのそれぞれとの組み合わせは、吸収性物品３００充満度に関する確実性をもたらすのを助けることができる。
【００６６】
吸収性物品の充満度を知ることにより、着用者が収容力を適切に利用した後に及び／又は吸収性物品が漏れそうになる前に、吸収性物品を交換することができる。本開示全体を通して、用語「収容力」は、吸収性コア単独の収容力を表すために使用され、獲得層又は分配層などの他の構成要素又は構造体の吸収力を含まない。以下に記載されるように、可視充満度インジケータと一次及び二次視覚的しるしとの組み合わせの利益は、以下に記載のように、図３Ｂ〜図３Ｇの実施形態でも同様にもたらされる。
【００６７】
図３Ｂ〜図３Ｇは、可視充満度インジケータ３３０と、様々な表示状態にある図３Ａの実施形態の視覚的しるしの一次グループ３４０、二次グループ３６０、及び三次グループ３８０を示しており、インジケータは、液状排泄物の存在下で可視状態を漸次変化させて、吸収性物品３００の充満度を表す。図３Ｂ〜図３Ｇでは、後続可視状態はハッチパターンで示されている。
【００６８】
図３Ｂは、図３Ａのインジケータの表示の後続状態を示しており、可視充満度インジケータ３３０の一部分は、初期可視状態から後続可視状態へと変化して、吸収性物品３００の充満度を表している。図３Ｂでは、液状排泄物は、内側末端部３３２から可視充満度インジケータ３３０の一部分を通って濡れ縁部３５７Ｂまで可視状態を変化させるのに十分な濃度で、吸収性物品３００の吸収性コアの一部分を通過している。濡れ縁部３５７Ｂは、一次視覚的しるしＡの一次グループ３４０の中間に近接している。
【００６９】
本開示全体を通して、濡れ縁部は、吸収性物品の可視湿潤度インジケータに沿った境界を指し、この境界は、液状排泄物の存在の程度を表す。濡れ縁部の内側（inboard side）では、可視湿潤度インジケータは、可視湿潤度インジケータが可視状態を変化させるのに十分な濃度の液状排泄物の存在に直面している。濡れ縁部の外側（outboard side）では、可視湿潤度インジケータは、可視湿潤度インジケータが可視状態を変化させるのに十分な濃度の液状排泄物の存在にまだ直面していない。
【００７０】
図３Ｃは、図３Ｂのインジケータの表示の後続状態を示しており、可視充満度インジケータ３３０の一部分は、初期可視状態から後続可視状態へと変化して、吸収性物品３００の充満度を表している。図３Ｃでは、液状排泄物は、内側末端部３３２から一次可視充満度インジケータ３３０の一部分を通って濡れ縁部３５７Ｃまで可視状態を変化させるのに十分な濃度で、吸収性物品３００の吸収性コアの一部分を通過している。濡れ縁部３５７Ｃは、一次視覚的しるしＡの一次グループ３４０の外側末端部、及び二次視覚的しるしＢの二次グループ３６０の内側末端部に近接している。
【００７１】
図３Ｄは、図３Ｃのインジケータの表示の後続状態を示しており、可視充満度インジケータ３３０の一部分は、初期可視状態から後続可視状態へと変化して、吸収性物品３００の充満度を表している。図３Ｄでは、液状排泄物は、内側末端部３３２から一次可視充満度インジケータ３３０の一部分を通って濡れ縁部３５７Ｄまで可視状態を変化させるのに十分な濃度で、吸収性物品３００の吸収性コアの一部分を通過している。濡れ縁部３５７Ｄは、二次視覚的しるしＢの二次グループ３６０の中間に近接している。
【００７２】
図３Ｅは、図３Ｄのインジケータの表示の後続状態を示しており、可視充満度インジケータ３３０の一部分は、初期可視状態から後続可視状態へと変化して、吸収性物品３００の充満度を表している。図３Ｅでは、液状排泄物は、内側末端部３３２から一次可視充満度インジケータ３３０の一部分を通って濡れ縁部３５７Ｅまで可視状態を変化させるのに十分な濃度で、吸収性物品３００の吸収性コアの一部分を通過している。濡れ縁部３５７Ｅは、二次視覚的しるしＢの二次グループ３６０の外側末端部、及び三次視覚的しるしＣの三次グループ３８０の内側末端部に近接している。
【００７３】
図３Ｆは、図３Ｅのインジケータの表示の後続状態を示しており、可視充満度インジケータ３３０の一部分は、初期可視状態から後続可視状態へと変化して、吸収性物品３００の充満度を表している。図３Ｆでは、液状排泄物は、内側末端部３３２から一次可視充満度インジケータ３３０の一部分を通って濡れ縁部３５７Ｆまで可視状態を変化させるのに十分な濃度で、吸収性物品３００の吸収性コアの一部分を通過している。濡れ縁部３５７Ｆは、三次視覚的しるしＣの三次グループ３８０の中間に近接している。
【００７４】
図３Ｇは、図３Ｆのインジケータの表示の後続状態を示しており、可視充満度インジケータ３３０の全部が初期可視状態から後続可視状態へと変化して、吸収性物品３００の充満度を表している。図３Ｇでは、液状排泄物は、内側末端部３３２から一次可視充満度インジケータ３３０の一部分を通って濡れ縁部３５７Ｇまで可視状態を変化させるのに十分な濃度で、吸収性物品３００の吸収性コアの一部分を通過している。濡れ縁部３５７Ｇは、三次視覚的しるしＣの三次グループ３８０の外側末端部、及びインジケータ３３０の外側末端部３３３に近接している。
【００７５】
全体として、図３Ｂ〜図３Ｇは、インジケータ３３０が、液状排泄物の存在下で、一次、二次、及び三次視覚的しるしに沿って可視状態を漸次変化させることができ、液状排泄物が吸収性物品３００を充満させた程度を表すことができることを示している。充満度を表すのに加えて、本開示の実施形態では、可視充満度表示システムの可視状態のこのような変化は、吸収性物品の残存吸収能力を表すシグナルとして及び／又は吸収性物品が漏れを起こすかもしれないリスクを表すシグナルとしても理解され得る。
【００７６】
本開示のインジケータ及び／又は視覚的しるしの適切な特定位置及び向き、並びに具体的な寸法及びその他の物理的特性は、インジケータ及び／又は視覚的しるしが、特定の吸収性物品の充満度の程度、残存収容力、及び／又は漏れリスクを表すシグナルを提供するように選択され得る。本開示の視覚的しるしの各グループに関し、中に可視充満度インジケータが含まれている吸収性物品の充満度の程度、残存収容力、及び／又は漏れリスクを表す可視シグナルを提供するように、内側末端部及び外側末端部の位置を選択することができる。特定の吸収性物品の充満度の程度、残存収容力、及び／又は漏れリスクは、代理人整理番号１１２２２ＭＱにより識別される米国特許本出願、名称「Ａｂｓｏｒｂｅｎｔ  Ａｒｔｉｃｌｅｓ  ｗｉｔｈ  Ｐｒｉｍａｒｙ  ａｎｄ  Ｓｅｃｏｎｄａｒｙ  Ｉｎｄｉｃａｔｉｎｇ」（２００９年１２月２３日）に記載のように決定されることができ、当該特許は参照により本明細書に組み込まれる。
【００７７】
第１の例として、種々の実施形態において、視覚的しるしの一次グループの内側末端部は、吸収性物品が次の（ａ）、（ｂ）、及び（ｃ）を有していることをこの内側末端部に近接した又はこの内側末端部（即ち、濡れ縁部がこの内側末端部に近接する可視充満度インジケータ）における可視状態の変化が表すように、特定の位置に配置され得る：（ａ）約２５％、３０％、３５％、４０％、４５％、５０％、５５％、６０％、６５％、７０％、７５％、８０％、８５％、又はこれらの値のいずれかの間の任意の整数百分率、又はこれらの値のいずれかを用いた任意の範囲内の充満度；（ｂ）約７５％、７０％、６５％、６０％、５５％、５０％、４５％、４０％、３５％、３０％、２５％、２０％、１５％、又はこれらの値のいずれかの間の任意の整数百分率、又はこれらの値のいずれかを用いた任意の範囲内の残存収容力；及び／あるいは（ｃ）０％、５％、１０％、１５％、２０％、２５％、３０％、３５％、４０％、４５％、５０％、５５％、６０％、６５％、７０％、７５％、８０％、８５％を超える、又はこれらの値のいずれかの間の任意の整数百分率、又はこれらの値のいずれかを用いた任意の範囲内の漏れリスク。本明細書で使用するとき、用語「漏れリスク」は、おむつが適当なサイズの着用者により適切に着用されている間に、液状排泄物がおむつから漏出する確率を指し、この確率は、適当なサイズの十分な人数の着用者によって使用される十分な数のおむつにおいて測定される。例えば、おむつの漏れの確率を判定するために、少なくとも１００人のユーザーが少なくとも５日間に相当する量のおむつを使用すべきである。
【００７８】
視覚的しるしの一次グループの内側末端部は、吸収性物品内の次の位置のいずれかに配置され得る：獲得層の外側縁部に対して９０ｍｍ、８０ｍｍ、７０ｍｍ、６０ｍｍ、５０ｍｍ、４０ｍｍ、３０ｍｍ、２０ｍｍ、１０ｍｍ、又は５ｍｍ内側；獲得層の外側縁部；分配層の外側縁部に対して８０ｍｍ、７０ｍｍ、６０ｍｍ、５０ｍｍ、４０ｍｍ、３５ｍｍ、３０ｍｍ、２５ｍｍ、２０ｍｍ、１５ｍｍ、１０ｍｍ、又は５ｍｍ内側；分配層の外側縁部：吸収性コアの外側縁部に対して１４０ｍｍ、１３０ｍｍ、１２０ｍｍ、１１０ｍｍ、１００ｍｍ、９０ｍｍ、８０ｍｍ、７０ｍｍ、６０ｍｍ、５０ｍｍ、４０ｍｍ、３０ｍｍ、２０ｍｍ、１０ｍｍ、又は５ｍｍ内側；あるいは吸収性コアの外側縁部。視覚的しるしの一次グループの内側末端部はまた、吸収性物品内のこれらの値のいずれかの間の任意の整数ｍｍの位置、又はこれらの値のいずれかを用いた任意の範囲内に配置されることもできる。一次視覚的しるしが１つだけ存在する場合、一次視覚的しるしは、視覚的しるしの一次グループの内側末端部に対する位置のいずれかに配置され得る。
【００７９】
第２の例として、種々の実施形態において、視覚的しるしの一次グループの外側末端部は、吸収性物品が次の（ａ）、（ｂ）、及び（ｃ）を有していることを外側末端部に近接した又はこの外側末端部（即ち、濡れ縁部がこの外側末端部に近接する可視充満度インジケータ）における可視状態の変化が表すように、特定の位置に配置され得る：（ａ）３０％、３５％、４０％、４５％、５０％、５５％、６０％、６５％、７０％、７５％、８０％、８５％、９０％、又はこれらの値のいずれかの間の任意の整数百分率、又はこれらの値のいずれかを用いた任意の範囲内の充満度；（ｂ）７０％、６５％、６０％、５５％、５０％、４５％、４０％、３５％、３０％、２５％、２０％、１５％、１０％、又はこれらの値のいずれかの間の任意の整数百分率、又はこれらの値のいずれかを用いた任意の範囲内の残存収容力；及び／あるいは（ｃ）３０％、３５％、４０％、４５％、５０％、５５％、６０％、６５％、７０％、７５％、８０％、８５％、９０％、又はこれらの値のいずれかの間の任意の整数百分率、又はこれらの値のいずれかを用いた任意の範囲内の漏れリスク。
【００８０】
視覚的しるしの一次グループの外側末端部は、吸収性物品内の次の位置のいずれかに配置され得る：獲得層の外側縁部に対して８０ｍｍ、７０ｍｍ、６０ｍｍ、５０ｍｍ、４０ｍｍ、３０ｍｍ、２０ｍｍ、１０ｍｍ、又は５ｍｍ内側；獲得層の外側縁部；獲得層の外側縁部より５ｍｍ又は１０ｍｍ外側；分配層の外側縁部に対して７０ｍｍ、６０ｍｍ、５０ｍｍ、４０ｍｍ、３０ｍｍ、２５ｍｍ、２０ｍｍ、１５ｍｍ、１０ｍｍ、又は５ｍｍ内側；分配層の外側縁部；分配層の外側縁部より５ｍｍ又は１０ｍｍ外側；吸収性コアの外側縁部に対して１３０ｍｍ、１２０ｍｍ、１１０ｍｍ、１００ｍｍ、９０ｍｍ、８０ｍｍ、７０ｍｍ、６０ｍｍ、５０ｍｍ、４０ｍｍ、３０ｍｍ、２０ｍｍ、１０ｍｍ、又は５ｍｍ内側；吸収性コアの外側縁部；あるいは吸収性コアの外側縁部より５ｍｍ又は１０ｍｍ外側。視覚的しるしの一次グループの外側末端部はまた、吸収性物品内のこれらの値のいずれかの間の任意の整数ｍｍの位置、又はこれらの値のいずれかを用いた任意の範囲内に配置されることもできる。一次視覚的しるしが１つだけ存在する場合、一次視覚的しるしは、視覚的しるしの一次グループの外側末端部に対する位置のいずれかに配置され得る。
【００８１】
第３の例として、種々の実施形態において、視覚的しるしの二次グループの内側末端部は、吸収性物品が次の（ａ）、（ｂ）、及び（ｃ）を有していることを内側末端部（即ち、濡れ縁部がこの内側末端部に近接する可視充満度インジケータ）における可視状態の変化が表すように、特定の位置に配置され得る：（ａ）５０％、５５％、６０％、６５％、７０％、７５％、８０％、８５％、９０％、９５％、又はこれらの値のいずれかの間の任意の整数百分率、又はこれらの値のいずれかを用いた任意の範囲内の充満度；（ｂ）５０％、４５％、４０％、３５％、３０％、２５％、２０％、１５％、１０％、５％、又はこれらの値のいずれかの間の任意の整数百分率、又はこれらの値のいずれかを用いた任意の範囲内の残存収容力；及び／あるいは（ｃ）１０％、２０％、３０％、４０％、５０％、６０％、７０％、８０％、９０％、又はこれらの値のいずれかの間の任意の整数百分率、又はこれらの値のいずれかを用いた任意の範囲内の漏れリスク。
【００８２】
視覚的しるしの二次グループの内側末端部は、吸収性物品内の次の位置のいずれかに配置され得る：獲得層の外側縁部に対して７５ｍｍ、７０ｍｍ、６０ｍｍ、５０ｍｍ、４０ｍｍ、３０ｍｍ、２０ｍｍ、１０ｍｍ、又は５ｍｍ内側；獲得層の外側縁部；あるいは獲得層の外側縁部より５ｍｍ、１０ｍｍ、又は２０ｍｍ外側；分配層の外側縁部に対して７５ｍｍ、７０ｍｍ、６６０ｍｍ、５０ｍｍ、４０ｍｍ、３０ｍｍ、２５ｍｍ、２０ｍｍ、１５ｍｍ、１０ｍｍ、又は５ｍｍ内側；分配層の外側縁部；あるいは分配層の外側縁部より５ｍｍ、１０ｍｍ、又は２０ｍｍ外側；吸収性コアの外側縁部に対して１２０ｍｍ、１１０ｍｍ、１００ｍｍ、９０ｍｍ、８０ｍｍ、７０ｍｍ、６０ｍｍ、５０ｍｍ、４０ｍｍ、３０ｍｍ、２０ｍｍ、又は１０ｍｍ内側；吸収性コアの外側縁部；あるいは吸収性コアの外側縁部より５ｍｍ、１０ｍｍ、又は２０ｍｍ外側。二次可視湿潤度インジケータの内側末端部はまた、吸収性物品内のこれらの値のいずれかの間の任意の整数ｍｍの位置、又はこれらの値のいずれかを用いた任意の範囲内に配置されることもできる。
【００８３】
種々の実施形態において、物品の後側に配置される視覚的しるしの二次グループは、物品の前側に配置される吸収性コアの長手方向外側縁部を基準にして配置される内側末端部を有することができる。このように、視覚的しるしの二次グループからのシグナルは、着用者によって液状排泄物が物品にもたらされる物品の前側／中心点を基準に構成されることができる。例として、視覚的しるしの二次グループは物品の後側に配置されることができ、グループの内側末端部は、物品の前側に配置された吸収性コアの長手方向外側縁部から２７５ｍｍ、２７０ｍｍ、２６０ｍｍ、２５０ｍｍ、２４０ｍｍ、２３０ｍｍ、２２０ｍｍ、２１０ｍｍ、２００ｍｍ、１９０ｍｍ、１８０ｍｍ、１７０ｍｍ、１６０ｍｍ、又は１５０ｍｍの位置に配置される。視覚的しるしの二次グループの内側末端部はまた、吸収性物品内のこれらの値のいずれかの間の任意の整数ｍｍの位置、又はこれらの値のいずれかを用いた任意の範囲内に配置されることもできる。二次視覚的しるしが１つだけ存在する場合、二次視覚的しるしは、視覚的しるしの二次グループの内側末端部に対する位置のいずれかに配置され得る。
【００８４】
視覚的しるしの二次グループの内側末端部に近接した又は内側末端部における可視状態の変化は、視覚的しるしの一次グループの外側末端部に近接した又は外側末端部における可視状態の変化によって表わされる充満度未満の、又はこれに等しい、又はこれを超える充満度を表し得る。一次可視充満度インジケータの外側末端部における可視状態の変化によって表わされる充満度未満の、又はこれに等しい、又はこれを超える充満度を表し得る。視覚的しるしの二次グループの内側末端部に近接した又は内側末端部における可視状態の変化は、視覚的しるしの一次グループの外側末端部に近接した又は外側末端部における可視状態の変化によって表わされる残存収容力を超える、又はこれに等しい、又はこれ未満の残存収容力を表し得る。視覚的しるしの二次グループの内側末端部に近接した又は内側末端部における可視状態の変化は、視覚的しるしの一次グループの外側末端部に近接した又は外側末端部における可視状態の変化によって表わされる漏れリスクを超える、又はこれに等しい、又はこれ未満の漏れリスクを表し得る。
【００８５】
第４の例として、種々の実施形態において、視覚的しるしの二次グループの外側末端部は、吸収性物品が次の（ａ）、（ｂ）、及び（ｃ）を有していることをこの外側末端部（即ち、濡れ縁部がこの外側末端部に近接する可視充満度インジケータ）における可視状態の変化が表すように、特定の位置に配置され得る：（ａ）５５％、６０％、６５％、７０％、７５％、８０％、８５％、９０％、９５％、約１００％、又はこれらの値のいずれかの間の任意の整数百分率、又はこれらの値のいずれかを用いた任意の範囲内の充満度；（ｂ）４５％、４０％、３５％、３０％、２５％、２０％、１５％、１０％、５％、約０％、又はこれらの値のいずれかの間の任意の整数百分率、又はこれらの値のいずれかを用いた任意の範囲内の残存収容力；及び／あるいは（ｃ）２０％、３０％、４０％、５０％、６０％、７０％、８０％、９０％、約１００％、又はこれらの値のいずれかの間の任意の整数百分率、又はこれらの値のいずれかを用いた任意の範囲内の漏れリスク。二次視覚的しるしが１つだけ存在する場合、二次視覚的しるしは、視覚的しるしの二次グループの外側末端部に対する位置のいずれかに配置され得る。
【００８６】
視覚的しるしの二次グループの外側末端部は、吸収性物品内の次の位置のいずれかに配置され得る：獲得層の外側縁部に対して５０ｍｍ、４０ｍｍ、３０ｍｍ、２０ｍｍ、１０ｍｍ、又は５ｍｍ内側；獲得層の外側縁部；獲得層の外側縁部より５ｍｍ、１０ｍｍ、２０ｍｍ、又は３０ｍｍ外側；分配層の外側縁部に対して５０ｍｍ、４０ｍｍ、３０ｍｍ、２５ｍｍ、２０ｍｍ、１５ｍｍ、１０ｍｍ、又は５ｍｍ内側；分配層の外側縁部；分配層の外側縁部より５ｍｍ、１０ｍｍ、２０ｍｍ、又は３０ｍｍ外側；吸収性コアの外側縁部に対して１１０ｍｍ、１００ｍｍ、９０ｍｍ、８０ｍｍ、７０ｍｍ、６０ｍｍ、５０ｍｍ、４０ｍｍ、３０ｍｍ、２０ｍｍ、又は１０ｍｍ内側；吸収性コアの外側縁部；あるいは吸収性コアの外側縁部より５ｍｍ、１０ｍｍ、２０ｍｍ、又は３０ｍｍ外側。視覚的しるしの二次グループの外側末端部はまた、吸収性物品内のこれらの値のいずれかの間の任意の整数ｍｍの位置、又はこれらの値のいずれかを用いた任意の範囲内に配置されることもできる。二次視覚的しるしが１つだけ存在する場合、二次視覚的しるしは、視覚的しるしの二次グループの内側末端部に対する位置のいずれかに配置され得る。
【００８７】
上記の４つの例示の実施形態のいずれかを、任意の実行可能な組み合わせで、本開示の任意の関連実施形態に適用することができることが想到される。
【００８８】
図４は、平面に展開された吸収性物品４００の前側４０１の一部分の外側平面図を示している。種々の実施形態において、吸収性物品４００は、パンツ型使い捨て着用可能吸収性物品又は前側締結可能な使い捨て着用可能吸収性物品などの使い捨て着用可能吸収性物品であることができる。図４では、この一部分は吸収性物品４００の他の部分から切り離して図示されているので、前側４０１のこの一部分は、吸収性物品４００の前側腰部縁部４０２によって、及び折れ線によって囲まれている。参照用に、図４Ａは、吸収性物品４００の長手方向外側４１４及び長手方向内側４１５の相対方向を示す矢印を図示している。図４の実施形態は、前側４０１に関して図示されているが、この実施形態は、吸収性物品の後側にも同様に配置され得る。図４の実施形態の要素のそれぞれは、以下に示されることを除いて、図３Ａの実施形態の同様の番号の要素と同じように構成されている。
【００８９】
本開示全体を通じて、「同様の番号」という用語は、要素の標示の番号の下２桁が同じである、要素の標示間の対応を示すことが意図されている。要素の標示は、図面番号に対応して前に付ける数字が異なるにもかかわらず、及び特定の実施形態に対応してアルファベットの添え字が異なるにもかかわらず、同様の番号が付されていると考えられる。
【００９０】
図４の実施形態では、一次視覚的しるしＡの一次グループ４４０の内側末端部４４２は、可視充満度インジケータ４３０の内側末端部４３２から離間している。全一次グループ長４４１は、図３Ａの実施形態の全一次グループ長３４１より短い。一次グループ４４０は、６つの一次視覚的しるしＡを含む。
【００９１】
二次視覚的しるしＢの二次グループ４６０の内側末端部４６２は、一次グループ４４０の外側末端部４４３から離間している。全二次グループ長４６１は、図３Ａの実施形態の全二次グループ長３６１より短い。二次グループ４６０は、３つの一次視覚的しるしＢを含む。
【００９２】
三次視覚的しるしＣの三次グループ４８０の内側末端部４８２は、二次グループ４６０の外側末端部４６３から離間している。可視充満度インジケータ４３０の外側末端部４３３は、三次グループ４８０の外側末端部４８３から離間している。
【００９３】
更に、本開示は、使い捨て着用可能吸収性物品などの吸収性物品が、本明細書に記載のように構成され、更に以下に記載のような様々な追加及び／又は代替構造及び／又は機能を有して構成される１つ以上の可視充満度インジケータを有することができることを想到する。
【００９４】
本開示の１つ以上の実施形態は、参照によりそれぞれが本明細書に組み込まれる、代理人整理番号１１２１７Ｑにより識別される米国特許本出願第１２／３４６，４４５号、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｃｏｌｏｒｓ」（２００８年１２月３０日出願）、及び／又は代理人整理番号１１２１７ＲＱにより識別される米国特許本出願、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｃｏｌｏｒｓ」（２００９年１２月２３日出願）の１つ以上の実施形態と組み合わせられることができる。一次及び二次しるしを有する使い捨て着用可能吸収性物品は、複数の表示色を有することも可能である。
【００９５】
本開示の１つ以上の実施形態は、参照によりそれぞれが本明細書に組み込まれる、代理人整理番号１１２１８Ｑにより識別される米国特許本出願第１２／３４６，４８１号、名称「Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｗｉｄｔｈｓ」（２００８年１２月３０日出願）、及び／又は代理人整理番号１１２１８ＲＱにより識別される米国特許本出願、名称「Ａｂｓｏｒｂｅｎｔ  Ａｒｔｉｃｌｅｓ  ｗｉｔｈ  Ｍｕｌｔｉｐｌｅ  Ｉｎｄｉｃａｔｉｎｇ  Ｗｉｄｔｈｓ」（２００９年１２月２３日出願）の１つ以上の実施形態と組み合わせられることができる。一次及び二次しるしを有する使い捨て着用可能吸収性物品は、複数の表示幅を有することも可能である。
【００９６】
本開示の１つ以上の実施形態は、参照によりそれぞれが本明細書に組み込まれる、代理人整理番号１１２１９により識別される米国特許本出願第１２／３４６，４９６号、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃｉａ」（２００８年１２月３０日出願）、及び／又は代理人整理番号１１２１９Ｒにより識別される米国特許本出願、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃｉａ」（２００９年１２月２３日出願）の１つ以上の実施形態と組み合わせられることができる。一次及び二次しるしを有する使い捨て着用可能吸収性物品は、一方の性に特化したしるしを有することも可能である。
【００９７】
本開示の１つ以上の実施形態は、参照によりそれぞれが本明細書に組み込まれる、代理人整理番号１１２２０により識別される米国特許本出願第１２／３４６，５１０号、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃａｔｉｎｇ」（２００８年１２月３０日出願）、及び／又は代理人整理番号１１２２０Ｒにより識別される米国特許本出願、名称「Ｄｉｓｐｏｓａｂｌｅ  Ｗｅａｒａｂｌｅ  Ａｂｓｏｒｂｅｎｔ  Ａｒｔｉｃｌｅｓ  ｗｉｔｈ  Ｇｅｎｄｅｒ  Ｓｐｅｃｉｆｉｃ  Ｉｎｄｉｃａｔｉｎｇ」（２００９年１２月２３日出願）の１つ以上の実施形態と組み合わせられることができる。一次及び二次しるしを有する使い捨て着用可能吸収性物品は、一方の性に特化した表示を有することも可能である。
【００９８】
１つ以上の本開示の実施形態は、参照によりそれぞれが本明細書に組み込まれる、代理人整理番号１１２２１Ｑにより識別される米国特許出願第１２／３４６，５２０号、名称「Ａｂｓｏｒｂｅｎｔ  Ａｒｔｉｃｌｅｓ  ｗｉｔｈ  Ｐａｔｔｅｒｎｓ  ｏｆ  Ｉｎｄｉｃａｔｉｎｇ」（２００８年１２月３０日出願）、及び／又は代理人整理番号１１２２１ＲＱにより識別される米国特許出願、名称「Ａｂｓｏｒｂｅｎｔ  Ａｒｔｉｃｌｅｓ  ｗｉｔｈ  Ｐａｔｔｅｒｎｓ  ｏｆ  Ｉｎｄｉｃａｔｉｎｇ」（２００９年１２月２３日出願）の１つ以上の実施形態と組み合わせられることができる。一次及び二次しるしを有する使い捨て着用可能吸収性物品は、表示のパターンを有することも可能である。
【００９９】
本開示の１つ以上の実施形態は、参照によりそれぞれが本明細書に組み込まれる、代理人整理番号１１２２２ＰＱにより識別される米国特許仮出願第６１／１４１，５７３号、名称「Ａｂｓｏｒｂｅｎｔ  Ａｒｔｉｃｌｅｓ  ｗｉｔｈ  Ｐｒｉｍａｒｙ  ａｎｄ  Ｓｅｃｏｎｄａｒｙ  Ｉｎｄｉｃａｔｉｎｇ」（２００８年１２月３０日出願）、及び／又は代理人整理番号１１２２２ＭＱにより識別される米国特許本出願、名称「Ａｂｓｏｒｂｅｎｔ  Ａｒｔｉｃｌｅｓ  ｗｉｔｈ  Ｐｒｉｍａｒｙ  ａｎｄ  Ｓｅｃｏｎｄａｒｙ  Ｉｎｄｉｃａｔｉｎｇ」（２００９年１２月２３日出願）の１つ以上の実施形態と組み合わせられることができる。一次及び二次しるしを有する使い捨て着用可能吸収性物品は、一次及び二次表示を有することも可能である。
【０１００】
一次視覚的しるし及び二次視覚的しるしと、可視充満度インジケータとを有する吸収性物品は、吸収性物品の充満度に関する確実性をもたらすのを助けることができる。物品がどれだけ満たされているかを知ることによって、着用者が物品の収容力を適切に利用した後に物品を交換することができる。また、物品がどれだけ満たされているかを知ることによって、漏れそうになる前に物品を交換することができる。
【０１０１】
本明細書に開示されている寸法及び値は、列挙した正確な数値に厳しく制限されるものとして理解すべきではない。それよりむしろ、特に規定がない限り、こうした各寸法は、列挙された値とその値周辺の機能的に同等の範囲との両方を意味することが意図される。例えば、「４０ｍｍ」として開示される寸法は、「約４０ｍｍ」を意味することを意図している。
【０１０２】
相互参照される又は関連するあらゆる特許又は出願を含め、本明細書において引用される全ての文献は、明示的に除外ないしは制限されない限り、参照によりその全体が本明細書に組み込まれる。いかなる文献の引用も、それが本明細書において開示され請求されるいずれかの発明に関する先行技術であること、又はそれが単独で若しくは他の任意の参照とのいかなる組み合わせにおいても、このような発明を教示する、提案する、又は開示することを認めるものではない。更に、本書における用語のいずれかの意味又は定義が、参照により組み込まれた文献における同一の用語のいずれかの意味又は定義と相反する限りにおいては、本書においてその用語に与えられた定義又は意味が適用されるものとする。
【０１０３】
本発明の特定の実施形態が例示され、記載されてきたが、本発明の趣旨及び範囲から逸脱することなく、他の様々な変更及び修正を実施できることが、当業者には明白であろう。したがって、本発明の範囲内にあるそのようなすべての変更及び修正を、添付の「特許請求の範囲」で扱うものとする。
【図１Ａ】
2012513842.tif 000003
【図１Ｂ】
2012513842.tif 000004
【図１Ｃ】
2012513842.tif 000005
【図２Ａ】
2012513842.tif 000006
【図２Ｂ】
2012513842.tif 000007
【図２Ｃ】
2012513842.tif 000008
【図３Ａ】
2012513842.tif 000009
【図３Ｂ】
2012513842.tif 000010
【図３Ｃ】
2012513842.tif 000011
【図３Ｄ】
2012513842.tif 000012
【図３Ｅ】
2012513842.tif 000013
【図３Ｆ】
2012513842.tif 000014
【図３Ｇ】
2012513842.tif 000015
【図４】
2012513842.tif 000016
【国際調査報告】
2012513842.tif 000017
2012513842.tif 000018
2012513842.tif 000019